(57)【要約】  【課題】  単調な形状の収納ボックスを様々に変化させ、好ましい視覚上の効果が得られる収納ボックスの組立て装置を提供する。  【解決手段】  ４辺の側壁と底面を具えてなり、該４辺の側壁は強靭性と強度を具えた材質で形成され、かつ側壁内に硬質の板材を包み、４隅及び対向する２辺の側壁の中間に折り線を形成し、該底面は可撓性を具えた材質からなり、側壁の底面に近接する位置に貫通孔を形成して構成し、上面に収納ボックスを積載するベースと、貫通孔から矩形のベース内に挿入して、底面上に設ける底板とによって構成する。【選択図】  図１ 
0003114139.tif 000002
【実用新案登録請求の範囲】
【請求項１】
４辺の側壁と底面を具えてなり、該４辺の側壁は強靭性と強度を具えた材質で形成され、かつ側壁内に硬質の板材を包み、４隅及び対向する２辺の側壁の中間に折り線を形成し、該底面は可撓性を具えた材質からなり、側壁の底面に近接する位置に貫通孔を形成して構成し、上面に収納ボックスを積載するベースと、
貫通孔から矩形のベース内に挿入され、底面上に設ける底板とを含んでなることを特徴とする収納ボックスの組立て装置。
【請求項２】
前記ベースの外壁下方にタイヤの形状をしたアクセサリーを設け、ベースの一端に車の頭部の形状を呈するアクセサリーを接続することを特徴とする請求項１に記載の収納ボックスの組立て装置。
【請求項３】
前記ベースは、対向する側壁の外側に塔の形態の洋服収納ボックスを設けることを特徴とする請求項１及び２に記載の収納ボックスの組立て装置。
【考案の詳細な説明】
【技術分野】
【０００１】
この考案は、複数の収納ボックスとアクセサリーを組み立てる収納ボックスの組立て装置に関する。
【背景技術】
【０００２】
収納ボックスは、一般に物品を収納するという機能以外に、せいぜい使用しない場合に折り畳んで体積を縮小することができるといった機能ぐらいしか具えていない。また、品物を収納するという機能を考慮し、収納ボックスは通常、単純な矩形の箱であって、さらに一歩進んで装飾を施すことはない。仮に収納ボックスの表面に絵を描くか、もしくは図案をプリントしたとしても、これらは平面的な美術の創作に属すか、もしくは図形をあしらったものにすぎない。
【０００３】
子供がいる家庭の場合、親はいずれも子供に独立した生活空間を提供したいと考える。子供部屋の室内が活動的な動きのあるデザインであるほど、子供にも歓迎される。このため、子供たちの親は子供部屋にアニメーションのキャラクターを有する家具、もしくは子供の興味を引く家具や製品を購入する。しかしながら、従来の収納ボックスは、かかる機能を具えていない。
【０００４】
また、一般の販売店では、収納ボックスなどの商品を展示する場合、商品を単純で工夫のない展示台の上に置くため、買い物をしている消費者や、子供を引き付けることがない。
【考案の開示】
【考案が解決しようとする課題】
【０００５】
この考案は、立体的で、好ましい視覚上の効果を具える収納ボックスであって、複数の異なる形態の収納ボックスを積み重ねて組み合わせることにより大型の物品の形状にするか、もしくは建築物の形態にすることができるとともに、本来の物品を収納する機能に影響を与えない収納ボックスを提供することを課題とする。
【課題を解決するための手段】
【０００６】
そこで、本考案の考案者は従来の技術にみられる欠点に鑑みて鋭意研究を重ねた結果、４辺の側壁と底面を具えてなり、該４辺の側壁は強靭性と強度を具えた材質で形成され、かつ側壁内に硬質の板材を包み、４隅及び対向する２辺の側壁の中間に折り線を形成し、該底面は可撓性を具えた材質からなり、側壁の底面に近接する位置に貫通孔を形成して構成し、上面に収納ボックスを積載するベースと、
貫通孔から矩形のベース内に挿入され、底面上に設ける底板とによってなる収納ボックスの組立て装置によって、課題を解決できる点に着眼し、かかる知見に基づいて本考案を完成させた。
【０００７】
以下、この考案について具体的に説明する。
請求項１に記載する収納ボックスの組立て装置は、４辺の側壁と底面を具えてなり、該４辺の側壁は強靭性と強度を具えた材質で形成され、かつ側壁内に硬質の板材を包み、４隅及び対向する２辺の側壁の中間に折り線を形成し、該底面は可撓性を具えた材質からなり、側壁の底面に近接する位置に貫通孔を形成して構成し、上面に収納ボックスを積載するベースと、
貫通孔から矩形のベース内に挿入され、底面上に設ける底板とを含んでなる。
【０００８】
請求項２に記載する収納ボックスの組立て装置は、請求項１におけるベースの外壁下方にタイヤの形状をしたアクセサリーを設け、ベースの一端に車の頭部の形状を呈するアクセサリーを接続する。
【０００９】
請求項３に記載する収納ボックスの組立て装置は、請求項１、及び請求項２におけるベースが、対向する側壁の外側に塔の形態の洋服収納ボックスを設ける。
【考案の効果】
【００１０】
この考案の収納ボックスの組立て装置は、単調な形状の収納ボックスを様々に変化させ、好ましい視覚上の効果が得られるといった効果を有する。
【考案を実施するための最良の形態】
【００１１】
この考案は、複数の収納ボックスとアクセサリーを組み立てる収納ボックスの組立て装置を提供するものであって、強靭性と強度を具えた材質で形成され、かつ側壁内に硬質の板材を包みこんだ側壁と、及び可撓性を具えた材質からなる底面を有するとともに、４隅及び対向する２辺の側壁の中間に折り線を形成し、且つ、該側壁の底面に近接する位置に貫通孔を形成して構成し、上面に収納ボックスを積載するベースと、
貫通孔から矩形のベース内に挿入され、底面上に設ける底板とによって構成し、単調な形状の収納ボックスを様々に変化させ、好ましい視覚上の効果を得るといった目的を達成する。
係る構成の収納ボックスの組立て装置の構造と特徴を詳述するために、具体的な例を挙げ、図面を参照にして以下に説明する。
【実施例】
【００１２】
図１に、この考案の実施例を開示する。図面によると、ベース１と、収納ボックス３などを含んでなる。該ベース１は、好ましくは折り畳み可能に構成する。即ち、使用しない場合の収納、または運搬の便宜を図るために折り畳みできるように構成する。
【００１３】
ベース１は、強靭性と強度を具えた材質で矩形に形成され、側壁内に硬質の板材を包みこむ。また、ベース１に形成された４つの角と、対向する両側壁の中間にはそれぞれ折り線１２を形成される。ベース１の底部には可撓性を具えたパネル材のみで底面１４を形成し、ベース１の側壁の底面１４に近接した位置に内部に貫通する貫通孔１１を形成する。
【００１４】
この考案ではさらに、硬質の材料で形成した底板２を提供する。該底板２は、ベース１を立体的に組み立てた場合、貫通孔１１から挿入して、ベース１の底面１４上に位置させてベース１を安定させるためのものである。また、収納ボックスを折り畳んで収納する場合には、底板２をベース１から取り出し、ベース１を側壁に設けられた折り線１２に沿って折り畳むと、図４に開示するようにベース１を扁平状に畳むことができる。
【００１５】
ベース１の視覚的な美感、もしくは動的な効果をさらに強めるため、ベース１の両側面外側にタイヤ状アクセサリー１３などの装飾物を設けることができる。該タイヤ状アクセサリー１３が地面に接触するため、ベース１の位置が上方に上がり、複数の収納ボックス３をベース１の上に積み重ねるのに便利である。また、収納装置全体の創造性を高めるため、ベース１に車の頭部（図３参照）のようなアクセサリー４を組み合わせることもできる。アクセサリー４をベース１と組み合わせるとトラックのような形態になるため、収納ボックス３をベース１に置くと、トラックに荷物を積み込むような効果を産み出す（図２参照）。
【００１６】
図５に、この考案の他の実施形態を開示する。基本的な構造は前述の実施例と同じであるが、この実施例ではベース１にタイヤ状アクセサリー１３、アクセサリー４を設けない。この実施例では、ベース１の両側に先の尖った塔状の形態をした洋服収納ボックス５を設ける。ベース１の上には、複数の収納ボックスを設けて、全体が城のような形態になるとともに、装飾的な視覚効果も具えることができる。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００１８】
【図１】この考案の収納ボックスの分解図である。
【図２】図１に開示した収納ボックスとアクセサリーとを組み合わせた状態を示した斜視図である。
【図３】この考案の収納ボックスのベースの構造を表わした説明図である。
【図４】この考案の収納ボックスの接続部材を折り畳んだ状態を表わす説明図である。
【図５】この考案の収納ボックスの接続部材の他の実施形態を表わす斜視図である。
【符号の説明】
【００１９】
１                 ベース
１１              貫通孔
１２              折り線
１３              タイヤ状アクセサリー
１４              底面
２                 底板
３                 収納ボックス
４                 アクセサリー
５                 洋服収納ボックス
【図１】
0003114139.tif 000003
【図２】
0003114139.tif 000004
【図３】
0003114139.tif 000005
【図４】
0003114139.tif 000006
【図５】
0003114139.tif 000007